【手続補正書】
【提出日】平成17年7月28日(2005.7.28)
【手続補正１】
【補正対象書類名】特許請求の範囲
【補正対象項目名】全文
【補正方法】変更
【補正の内容】
【特許請求の範囲】
【請求項１】
デジタルカメラと外部機器とからなる画像データ管理システムであって、
前記デジタルカメラは、
撮像した被写体の画像を画像データに変換して出力する撮像手段と、
この撮像手段から出力された画像データを記憶する画像記憶手段と、
この画像記憶手段に記憶された画像であって所望する使用目的を有する画像を指定するための指定手段と、
この指定手段により指定された画像に対応する画像データを示す情報を含むインデックスファイルを作成する作成手段と、
この作成手段により作成されたインデックスファイルを記憶するインデックスファイル記憶手段と、
このインデックスファイル記憶手段に記憶されているインデックスファイルを前記外部機器に送信する第１の送信手段とを備え、
前記外部機器は、
前記第１の送信手段により送信されたインデックスファイルを受信する第１の受信手段と、
この第１の受信手段により受信されたインデックスファイルに含まれている画像データを示す情報により特定される画像データの転送要求信号を前記デジタルカメラに送信する第２の送信手段とを備え、
前記デジタルカメラは、更に、
前記第２の送信手段により送信された前記転送要求信号を受信する第２の受信手段と、
この第２の受信手段により受信された前記転送要求信号により要求された、前記画像記憶手段に記憶されている画像データを前記外部機器に送信する第３の送信手段とを備え、
前記外部機器は、更に、
前記第３の送信手段により送信された画像データを受信する第３の受信手段
を備えたことを特徴とする画像管理システム。
【請求項２】
撮像した被写体の画像を画像データに変換し画像記憶手段に記憶するデジタルカメラにおいて、
画像記憶手段に記憶された画像であって所望する使用目的を有する画像を指定するための指定手段と、
この指定手段により指定された画像に対応する画像データを示すインデックスファイルを作成する作成手段と、
この作成手段により作成されたインデックスファイルを記憶するインデックスファイル記憶手段と、
このインデックスファイル記憶手段に記憶されているインデックスファイルを外部機器に送信する第１の送信手段と、
前記外部機器から送信された前記インデックスファイルに含まれている画像データを示す情報により特定される画像データの転送要求信号を受信する受信手段と、
この受信手段により受信された前記転送要求信号により要求された、前記画像記憶手段に記憶されている画像データを前記外部機器に送信する第２の送信手段と、
を備えたことを特徴とするデジタルカメラ。
【請求項３】
前記指定手段は、複数の画像を指定可能であり、
前記作成手段は、前記指定手段により指定された複数の画像に対応する、画像データを示す複数の情報を含むインデックスファイルを生成することを特徴とする請求項２記載のデジタルカメラ。
【請求項４】
前記インデックスファイル記憶手段と前記画像記憶手段とは、カメラ本体に着脱自在でかつ他の装置で利用可能な同一の記録媒体によって構成されたことを特徴とする請求項２又は３記載のデジタルカメラ。
【請求項５】
前記インデックスファイル記憶手段は、前記作成手段により作成されたインデックスファイルを複数記憶し、
前記第１の送信手段は、前記インデックスファイル記憶手段に記憶されている複数のインデックスファイルを外部機器に送信し、
前記受信手段は、前記外部機器により前記複数のインデックスファイルの中から指定されたインデックスファイルに含まれている画像データを示す情報により特定される画像データの転送要求信号を受信することを特徴とする請求項１乃至４いずれか記載のデジタルカメラ。
【請求項６】
前記指定手段は、所望する使用目的を有する画像を複数種類に分類して指定可能であり、
前記作成手段は前記インデックスファイルを前記複数種類毎に作成し、
前記インデックスファイル記憶手段は、前記作成手段により作成された複数種類のインデックスファイルを記憶し、
前記第１の送信手段は、前記インデックスファイル記憶手段に記憶されている複数種類のインデックスファイルを外部機器に送信し、
前記受信手段は、前記外部機器により前記複数種類のインデックスファイルの中から指定されたインデックスファイルに含まれている画像データを示す情報により特定される画像データの転送要求信号を受信することを特徴とする請求項５記載のデジタルカメラ。
【請求項７】
前記指定手段は、同一画像に対して複数の分類種別を指定可能であり、前記作成手段は、同一画像を示すインデックスファイルを前記複数種類毎に作成することを特徴とする請求項６記載のデジタルカメラ。
【請求項８】
前記インデックスファイルは、画像データに付されたデータ名によって構成されることを特徴とする請求項１乃至７いずれか記載のデジタルカメラ。
【請求項９】
前記画像記憶手段は、前記画像データを、該画像データに画像ファイル名を付加した画像ファイルの形態で記憶し、
前記作成手段は、前記指定手段により指定された画像の画像ファイル名を含んでなるインデックスファイルを作成することを特徴とする請求項８記載のデジタルカメラ。
【請求項１０】
前記インデックスファイルは、該ファイルを特定することが可能なファイル名を含んでなることを特徴とする請求項１乃至９いずれか記載のデジタルカメラ。
【請求項１１】
前記インデックスファイルは、テキスト形式のファイルであることを特徴とする請求項１乃至１０いずれか記載のデジタルカメラ。
【請求項１２】
前記画像記憶手段に記憶された画像データに基づく画像を表示する表示手段を備え、前記指定手段は、前記表示手段に表示されている画像の画像データを指定するものであることを特徴とする請求項１乃至１１いずれか記載のデジタルカメラ。
【請求項１３】
デジタルカメラから送信された、画像データを示す情報を含むインデックスファイルを受信する第１の受信手段と、
この第１の受信手段により受信されたインデックスファイルに含まれている画像データを示す情報により特定される画像データの転送要求信号を前記デジタルカメラに送信する送信手段と、
この送信手段により送信された前記転送要求信号により要求された、デジタルカメラが有する画像記憶手段に記憶されている画像データを受信する第２の受信手段と、
を備えたことを特徴とする外部機器。
【請求項１４】
前記第１の受信手段は、デジタルカメラから送信された、画像データを示す情報を含むインデックスファイルを複数受信し、
前記第１の受信手段により受信された複数のインデックスファイルのうちのいずれかのインデックスファイルを指定する指定手段を更に備え、
前記送信手段は、前記指定手段により指定されたインデックスファイルに含まれている画像データを示す情報により特定される画像データの転送要求信号を前記デジタルカメラに送信することを特徴とする請求項１３記載の外部機器。
【請求項１５】
前記第２の受信手段により受信された画像データに対して所定の処理を実行する画像処理手段を更に備えたことを特徴とする請求項１３又は１４記載の外部機器。
【請求項１６】
撮像した被写体の画像を画像データに変換し画像記憶手段に記憶するデジタルカメラが有するコンピュータに、
画像記憶手段に記憶された画像であって所望する使用目的を有する画像を指定する処理と、
使用者に指定された所定の使用目的を有する画像の画像データを示す情報を含むインデックスファイルを作成する処理と、
作成したインデックスファイルをデジタルカメラが有する記憶手段に記憶させる処理と、
前記記憶手段に記憶されているインデックスファイルを外部機器に送信する処理と、
前記外部機器から送信された前記インデックスファイルに含まれている画像データを示す情報により特定される画像データの転送要求信号を受信する処理と、
受信した前記転送要求信号により要求された、前記画像記憶手段に記憶されている画像データを前記外部機器に送信する処理と、
をコンピュータに行わせるためのプログラムを記録したコンピュータ読取り可能な記録媒体。
【請求項１７】
外部機器が有するコンピュータに、
デジタルカメラから送信された、画像データを示す情報を含むインデックスファイルを受信する処理と、
受信したインデックスファイルに含まれている画像データを示す情報により特定される画像データの転送要求信号を前記デジタルカメラに送信する処理と、
送信した前記転送要求信号により要求された、デジタルカメラが有する画像記憶手段に記憶されている画像データを受信する処理と、
をコンピュータに行わせるためのプログラムを記録したコンピュータ読取り可能な記録媒体。
【請求項１８】
撮像手段によって撮像され画像記憶手段に記録された画像の画像データを管理する方法において、
画像記憶手段に記憶された画像であって所望する使用目的を有する画像を指定する工程と、
使用者に指定された所定の使用目的を有する画像の画像データを示す情報を含むインデックスファイルを作成する工程と、
作成したインデックスファイルをインデックスファイル記憶手段に記憶する工程と、
前記インデックスファイル記憶手段に記憶されているインデックスファイルを外部機器に送信する工程と、
前記外部機器から送信された前記インデックスファイルに含まれている画像データを示す情報により特定される画像データの転送要求信号を受信する工程と、
受信した前記転送要求信号により要求された、前記画像記憶手段に記憶されている画像データを前記外部機器に送信する工程と、
を含むことを特徴とする画像データ管理方法。
【請求項１９】
画像データを管理する方法において、
デジタルカメラから送信された、画像データを示す情報を含むインデックスファイルを受信する工程と、
受信したインデックスファイルに含まれている画像データを示す情報により特定される画像データの転送要求信号を前記デジタルカメラに送信する工程と、
送信した前記転送要求信号により要求された、デジタルカメラが有する画像記憶手段に記憶されている画像データを受信する工程と、
を含むことを特徴とする画像データ管理方法。
【手続補正２】
【補正対象書類名】明細書
【補正対象項目名】０００６
【補正方法】変更
【補正の内容】
【０００６】
前記課題を解決するために請求項１の発明にあっては、デジタルカメラと外部機器とからなる画像データ管理システムであって、前記デジタルカメラは、撮像した被写体の画像を画像データに変換して出力する撮像手段と、この撮像手段から出力された画像データを記憶する画像記憶手段と、この画像記憶手段に記憶された画像であって所望する使用目的を有する画像を指定するための指定手段と、この指定手段により指定された画像に対応する画像データを示す情報を含むインデックスファイルを作成する作成手段と、この作成手段により作成されたインデックスファイルを記憶するインデックスファイル記憶手段と、このインデックスファイル記憶手段に記憶されているインデックスファイルを前記外部機器に送信する第１の送信手段とを備え、前記外部機器は、前記第１の送信手段により送信されたインデックスファイルを受信する第１の受信手段と、この第１の受信手段により受信されたインデックスファイルに含まれている画像データを示す情報により特定される画像データの転送要求信号を前記デジタルカメラに送信する第２の送信手段とを備え、前記デジタルカメラは、更に、前記第２の送信手段により送信された前記転送要求信号を受信する第２の受信手段と、この第２の受信手段により受信された前記転送要求信号により要求された、前記画像記憶手段に記憶されている画像データを前記外部機器に送信する第３の送信手段とを備え、前記外部機器は、更に、前記第３の送信手段により送信された画像データを受信する第３の受信手段を備えたことを特徴とする。
【手続補正３】
【補正対象書類名】明細書
【補正対象項目名】０００７
【補正方法】変更
【補正の内容】
【０００７】
また、請求項２の発明にあっては、撮像した被写体の画像を画像データに変換し画像記憶手段に記憶するデジタルカメラにおいて、画像記憶手段に記憶された画像であって所望する使用目的を有する画像を指定するための指定手段と、この指定手段により指定された画像に対応する画像データを示すインデックスファイルを作成する作成手段と、この作成手段により作成されたインデックスファイルを記憶するインデックスファイル記憶手段と、このインデックスファイル記憶手段に記憶されているインデックスファイルを外部機器に送信する第１の送信手段と、前記外部機器から送信された前記インデックスファイルに含まれている画像データを示す情報により特定される画像データの転送要求信号を受信する受信手段と、この受信手段により受信された前記転送要求信号により要求された、前記画像記憶手段に記憶されている画像データを前記外部機器に送信する第２の送信手段とを備えたことを特徴とする。
【手続補正４】
【補正対象書類名】明細書
【補正対象項目名】０００９
【補正方法】変更
【補正の内容】
【０００９】
また、請求項５の発明にあっては、前記インデックスファイル記憶手段は、前記作成手段により作成されたインデックスファイルを複数記憶し、前記第１の送信手段は、前記インデックスファイル記憶手段に記憶されている複数のインデックスファイルを外部機器に送信し、前記受信手段は、前記外部機器により前記複数のインデックスファイルの中から指定されたインデックスファイルに含まれている画像データを示す情報により特定される画像データの転送要求信号を受信することを特徴とする。
【手続補正５】
【補正対象書類名】明細書
【補正対象項目名】００１０
【補正方法】変更
【補正の内容】
【００１０】
また、請求項６の発明にあっては、前記指定手段は、所望する使用目的を有する画像を複数種類に分類して指定可能であり、前記作成手段は前記インデックスファイルを前記複数種類毎に作成し、前記インデックスファイル記憶手段は、前記作成手段により作成された複数種類のインデックスファイルを記憶し、前記第１の送信手段は、前記インデックスファイル記憶手段に記憶されている複数種類のインデックスファイルを外部機器に送信し、前記受信手段は、前記外部機器により前記複数種類のインデックスファイルの中から指定されたインデックスファイルに含まれている画像データを示す情報により特定される画像データの転送要求信号を受信することを特徴とする。
【手続補正６】
【補正対象書類名】明細書
【補正対象項目名】００１３
【補正方法】変更
【補正の内容】
【００１３】
また、請求項１３の発明にあっては、デジタルカメラから送信された、画像データを示す情報を含むインデックスファイルを受信する第１の受信手段と、この第１の受信手段により受信されたインデックスファイルに含まれている画像データを示す情報により特定される画像データの転送要求信号を前記デジタルカメラに送信する送信手段と、この送信手段により送信された前記転送要求信号により要求された、デジタルカメラが有する画像記憶手段に記憶されている画像データを受信する第２の受信手段とを備えたことを特徴とする。
【手続補正７】
【補正対象書類名】明細書
【補正対象項目名】００１４
【補正方法】変更
【補正の内容】
【００１４】
また、請求項１４の発明にあっては、前記第１の受信手段は、デジタルカメラから送信された、画像データを示す情報を含むインデックスファイルを複数受信し、前記第１の受信手段により受信された複数のインデックスファイルのうちのいずれかのインデックスファイルを指定する指定手段を更に備え、前記送信手段は、前記指定手段により指定されたインデックスファイルに含まれている画像データを示す情報により特定される画像データの転送要求信号を前記デジタルカメラに送信することを特徴とする。
また、請求項１５の発明にあっては、前記第２の受信手段により受信された画像データに対して所定の処理を実行する画像処理手段を更に備えたことを特徴とする。
【手続補正８】
【補正対象書類名】明細書
【補正対象項目名】００１５
【補正方法】変更
【補正の内容】
【００１５】
また、請求項１６の発明にあっては、撮像した被写体の画像を画像データに変換し画像記憶手段に記憶するデジタルカメラが有するコンピュータに、画像記憶手段に記憶された画像であって所望する使用目的を有する画像を指定する処理と、使用者に指定された所定の使用目的を有する画像の画像データを示す情報を含むインデックスファイルを作成する処理と、作成したインデックスファイルをデジタルカメラが有する記憶手段に記憶させる処理と、前記記憶手段に記憶されているインデックスファイルを外部機器に送信する処理と、前記外部機器から送信された前記インデックスファイルに含まれている画像データを示す情報により特定される画像データの転送要求信号を受信する処理と、受信した前記転送要求信号により要求された、前記画像記憶手段に記憶されている画像データを前記外部機器に送信する処理とをコンピュータに行わせるためのプログラムを記録したコンピュータ読取り可能な記録媒体とした。
【手続補正９】
【補正対象書類名】明細書
【補正対象項目名】００１６
【補正方法】変更
【補正の内容】
【００１６】
また、請求項１７の発明にあっては、外部機器が有するコンピュータに、デジタルカメラから送信された、画像データを示す情報を含むインデックスファイルを受信する処理と、受信したインデックスファイルに含まれている画像データを示す情報により特定される画像データの転送要求信号を前記デジタルカメラに送信する処理と、送信した前記転送要求信号により要求された、デジタルカメラが有する画像記憶手段に記憶されている画像データを受信する処理とをコンピュータに行わせるためのプログラムを記録したコンピュータ読取り可能な記録媒体とした。
【手続補正１０】
【補正対象書類名】明細書
【補正対象項目名】００１７
【補正方法】変更
【補正の内容】
【００１７】
また、請求項１８の発明にあっては、撮像手段によって撮像され画像記憶手段に記録された画像の画像データを管理する方法において、画像記憶手段に記憶された画像であって所望する使用目的を有する画像を指定する工程と、使用者に指定された所定の使用目的を有する画像の画像データを示す情報を含むインデックスファイルを作成する工程と、作成したインデックスファイルをインデックスファイル記憶手段に記憶する工程と、前記インデックスファイル記憶手段に記憶されているインデックスファイルを外部機器に送信する工程と、前記外部機器から送信された前記インデックスファイルに含まれている画像データを示す情報により特定される画像データの転送要求信号を受信する工程と、受信した前記転送要求信号により要求された、前記画像記憶手段に記憶されている画像データを前記外部機器に送信する工程とを含むことを特徴とする。
【手続補正１１】
【補正対象書類名】明細書
【補正対象項目名】００１８
【補正方法】変更
【補正の内容】
【００１８】
また、請求項１９の発明にあっては、画像データを管理する方法において、デジタルカメラから送信された、画像データを示す情報を含むインデックスファイルを受信する工程と、受信したインデックスファイルに含まれている画像データを示す情報により特定される画像データの転送要求信号を前記デジタルカメラに送信する工程と、前記デジタルカメラにおいて、送信した前記転送要求信号により要求された、デジタルカメラが有する画像記憶手段に記憶されている画像データを受信する工程とを含むことを特徴とする。